(57)【要約】【課題】レンズ鏡筒に遮光部材を設けるにあたり、組立時の貼り誤差に依存せず遮光防塵性能を保持でき、かつレンズ鏡筒に異音や劣化を生じさせにくい撮像装置を提供すること。【解決手段】第１の筒と、第１の筒の内側にあり、光軸方向へ相対移動する第２の筒と、環状の遮光部材と、遮光部材の光軸方法の位置規制をする外装部材を有する撮像装置において、遮光部材は、その内径側に第２の筒の外形と弾性接触する弾性体と、弾性体の表裏面の一部を覆い第１の筒および外装部材と摺動する摺動部を有し、摺動部は弾性体よりも摩擦抵抗の小さい部材で構成されることを特徴とする。【選択図】図４
2016090983.tif 000002
【特許請求の範囲】
【請求項１】
第１の筒（２１）と、第１の筒の内側にあり、光軸方向へ相対移動する第２の筒（３２）と、
環状の遮光部材（３３）と、
遮光部材の光軸方法の位置規制をする外装部材（１）と、
を有する撮像装置において、
前記遮光部材は、その内径側に第２の筒の外形と弾性接触する弾性体（３３ｂ）と、前記弾性体の表裏面の一部を覆い前記第１の筒および前記外装部材と摺動する摺動部（３３ａ）を有し、
前記摺動部は前記弾性体よりも摩擦抵抗の小さい部材で構成されることを特徴とする撮像装置。
【請求項２】
前記第１の筒は非回転であり、前記第２の筒は回転し、前記第２の筒の回転に連動して前記遮光部材が共に回転することを特徴とする請求項１に記載の撮像装置。
【請求項３】
前記遮光部材の内径は、前記第２の筒の外径より小さいことを特徴とする請求項１又は請求項２に記載の撮像装置。
【請求項４】
前記第１の筒には、前記遮光部材の外周側を円周状に囲む規制リブ（２１ａ）が設けられ、前記規制リブの突出量は、前記遮光部材の厚さより大きいことを特徴とする請求項１乃至請求項３の何れか一項に記載の撮像装置。
【請求項５】
前記規制リブには、円周外側方向へ張り出した張り出し部（２１ｂ）が少なくとも１つ備えられたことを特徴とする請求項４に記載の撮像装置。
【発明の詳細な説明】
【技術分野】
【０００１】
本発明は、撮像装置に関し、特にレンズ鏡筒に関する。
【背景技術】
【０００２】
従来、撮影時に撮像装置本体から繰り出し、収納時に本体内へ沈胴するズーム鏡筒が数々提案されている。このような機構の鏡筒では、複数の直進筒と回転筒を組み合わせて、複数のレンズを光軸方向へ進退するように構成される。また非使用時にはそれらの筒を収納することにより、撮像装置本体の厚みを低減している。このような沈胴式の鏡筒では、鏡筒を構成する筒と筒の隙間、もしくは鏡筒とカメラボディとの隙間から、有害光やゴミが侵入するのを防ぐため、遮光部材を設けている。
【０００３】
遮光部材の構成としては、鏡筒に固定された筒に環状の遮光部材を両面テープ等で貼りつける方式や、鏡筒の筒部材先端に設けられた環状のキャップ部材と筒部材の間に遮光部材を挟んで保持されるもの等が提案されてきた。後者の機構を設けている先行技術が特許文献１で開示されている。
【先行技術文献】
【特許文献】
【０００４】
【特許文献１】特開２０１２−１１８３４３号公報
【発明の概要】
【発明が解決しようとする課題】
【０００５】
上記のような固定筒に環状の遮光部材を両面テープ等で貼りつける方式では、組立時の貼り誤差により、遮光部材の位置がずれて遮光防塵性能を果たさないおそれがあった。また、特許文献１のようなレンズ駆動装置では、回転筒と共に回転する遮光部材が、その内径側にある非回転の直進筒と擦れ合う構成であるため、摩擦による異音や、遮光部材の劣化などの問題が起こるおそれがあった。
【０００６】
そこで、本発明の目的は、レンズ鏡筒に遮光部材を設けるにあたり、組立時の貼り誤差に依存せず遮光防塵性能を保持でき、かつレンズ鏡筒に異音や劣化を生じさせにくい撮像装置を提供することにある。
【課題を解決するための手段】
【０００７】
上記目的を達成するために、本発明は、第１の筒と、第１の筒の内側にあり、光軸方向へ相対移動する第２の筒と、環状の遮光部材と、遮光部材の光軸方法の位置規制をする外装部材と、を有する撮像装置において、遮光部材は、その内径側に第２の筒の外形と弾性接触する弾性体と、弾性体の表裏面の一部を覆い第１の筒および外装部材と摺動する摺動部を有し、摺動部は弾性体よりも摩擦抵抗の小さい部材で構成されることを特徴とする。
【発明の効果】
【０００８】
本発明によれば、レンズ鏡筒に遮光部材を設けるにあたり、組立時の貼り誤差に依存せず遮光防塵性能を保持でき、かつレンズ鏡筒に異音や劣化を生じさせにくい撮像装置を提供することができる。
【図面の簡単な説明】
【０００９】
【図１】本発明の実施例を適用した撮像装置の撮影時の鏡筒断面図。
【図２】本発明の実施例を適用した撮像装置の斜視図。
【図３】本発明の実施例を適用した撮像装置の鏡筒分解斜視図。
【図４】本発明の実施例を適用した撮像装置の撮影時の鏡筒断面図。
【図５（ａ）】本発明の実施例を適用した撮像装置の撮影時の鏡筒断面図。
【図５（ｂ）】本発明の実施例を適用した撮像装置の撮影時の鏡筒断面図。
【図６】本発明の実施例を適用した撮像装置の撮影時の鏡筒正面図。
【発明を実施するための形態】
【００１０】
以下、図１〜図６を参照して、本発明の実施例による、撮像装置について説明する。
【００１１】
［実施例］
図１は本発明の実施例を適用した撮像装置の撮影時の鏡筒断面図であって、鏡筒が撮影状態の図である。図２は本実施例を適用した撮像装置の斜視図である。図１に示すように、本実施例の鏡筒構成は直進筒と回転筒を組わせた構成となっており、撮影時と沈胴時で鏡筒全長を変化させることができる。レンズ鏡筒１０は、回転筒３２、４２と、直進筒３１、４１、４３、１群筒５１の組み合わせにより沈胴式鏡筒を構成する。
【００１２】
図中、詳細なカム溝等は省略している。固定筒２１の先端部には、回転筒３２の外径と固定筒２１の内径にできる隙間を塞ぐための環状に形成された遮光シート３３が備えられている。レンズ鏡筒１０後端には、撮像素子１４、センサーホルダ２２が備えられる。５３は開口形状を有する１群カバーである。そして、レンズ鏡筒１０は、カメラ外装カバー１に覆われ、図２のようなカメラ本体状態となる。図３は、固定筒２１と遮光シート３３の詳細な斜視図である。図４は、レンズ鏡筒１０先端部に設けられた遮光シート３３とその周辺の構成を詳細に示した図であり、図５（ａ）、図５（ｂ）は遮光シート３３の構成を示した詳細図である。
【００１３】
本実施例における遮光シート３３は、図５（ａ）に示すように３層構造となっている。３層の中央に弾性体３３ｂを有しており、その弾性体３３ｂを挟むように、摺動部３３aを有している。弾性体３３ｂは弾性変形可能な材料からなり、例えば発泡体などの柔らかい材料で構成される。また、摺動部３３aは、表面粗さの比較的小さい材料からなり、例えば、ＰＥＴシート材などの材料で構成される。
【００１４】
遮光シート３３の弾性体３３ｂが内側の回転筒３２に対して圧入ぎみに嵌められることにより径方向へ弾性変形して回転筒３２と密着して、回転筒３２と固定筒２１の間の隙間を塞ぐ。また、遮光シート３３が回転筒と共に回転する時、摺動部３３ａと、固定筒２１の摺動面２１ｃもしくはカメラ外装カバー１の摺動面１ａが摺動する。弾性体３３ｂは、弾性変形部材であり摺動抵抗が大きい。本実施例では、摺動抵抗の大きい部材を摺動させないように、摺動部３３ａが弾性体３３ｂの端面を覆うように構成され、摺動抵抗が小さい摺動部３３ａの面で摺動するので、遮光シート３３と回転筒が共になめらかに回転追随することができる。
【００１５】
図５（ｂ）で示すように、遮光シート３３の外側には、固定筒２１の先端部で形成された規制リブ２１ａが遮光シート３３の外周を取り囲むように設けられている。この規制リブ２１ａの高さは、遮光シート３３の総厚よりも大きく設定されている。これにより、遮光シート３３がカメラ外装カバー１に押されて、遮光シート３３の光軸方向の隙間が無くなり、回転筒３２と回転追従できなくなることを防止している。
【００１６】
図６は、レンズ鏡筒１０を正面から見た図である。固定筒２１の規制リブ２１aは遮光シート３３の外周を取り囲むように設けられているが、その一部が径方向外側へ張り出した張り出し部２１ｂを設けている。これは、カメラ外装カバー１と回転筒３２の隙間から侵入したゴミが固定筒２１先端部に溜まるが、その溜まったゴミが遮光シート３３の回転を妨げないように、ゴミを貯めておく空間となっている。この張り出し部２１ｂを設置することで、万一ゴミが侵入しても、レンズ鏡筒１０内部にゴミが侵入することはなく、また、遮光シート３３の遮光防塵性能が落ちることもない。
【００１７】
以上、本発明の好ましい実施形態について説明したが、本発明はこれらの実施形態に限定されず、その要旨の範囲内で種々の変形及び変更が可能である。
【符号の説明】
【００１８】
１  カメラ外装カバー、１０  レンズ鏡筒、１１  レンズ、１４  撮像素子、
２１  固定筒、２２  センサーホルダ、３１  回転筒、３２  直進筒、
３３  遮光シート、４１  カバー筒、４２  回転筒、４３  直進筒、５１  １群筒、
５３  １群キャップ
【図１】
2016090983.tif 000003
【図２】
2016090983.tif 000004
【図３】
2016090983.tif 000005
【図４】
2016090983.tif 000006
【図５（ａ）】
2016090983.tif 000007
【図５（ｂ）】
2016090983.tif 000008
【図６】
2016090983.tif 000009